(57)【要約】【課題】  家庭用のインクジェットプリンターを使って文書などを印刷する場合、印刷面を上にして、順々に重なっていくのでページが逆順になってしまっていた。本発明は、出力された印刷物のページが逆順にならないプリンター用紙受けを提供する。【解決手段】  矩形の３枚のプレートが折り曲げ式に連結された形で、カラーボックスなどの上に置いて、プレートの１枚が、プリンターの排紙口の直下に斜め４５度上を向いた状態で位置決めされ、このプレート上に印刷面が下になって貯溜され、印刷物のページが正順になった状態で取り出すことが出来ることを特徴とするプリンター用紙受け。【選択図】図１
2019210146.tif 000002
【特許請求の範囲】
【請求項１】
共通の短手幅で長手サイズを異にする矩形の３枚のプレートが相互の境界線において折り曲げ式に連続した形を成し、プリンターの排紙口の下に設置されて使用するものであって、
３枚のうち、外側の一方のプレートが、プリンターの下に敷き置かれる敷設板を成し、
他方のプレートが、当該プリンターが扱える最大サイズ用紙長辺の３分の２程の長手サイズであって、プリンターの排紙口から落下する用紙を受け止める用紙受け板を成し、
両者の中間にあって、両者を繋ぎ、且つ用紙を落下させる領域として、最大サイズ用紙長辺よりも少し余裕をもった長さのプレートが中間壁板を成し、
敷設板と中間壁板の境界においては、３６０度回動可能であり、
中間壁板と用紙受け板の境界においては、中間壁板側から約４５度の角度で折り曲げ固定された、数センチ幅を有する用紙貯溜部が形成されており、用紙貯溜部と用紙受け部との境界は回動可能であるが、用紙受け部は中間壁板に対し約４５度を超えて開かなくしてあり、
この様な構成体を、多くの一般家庭にあると思われる、カラーボックス、机上の端、あるいは本棚などの上に設置し、その上にプリンターを設置することで、プリンターから出力された用紙が、印刷面が下になった状態で順々に貯溜されていくので、ページが逆順にならず、印刷物のページが正順になった状態で取り出すことが出来ることを特徴とするプリンター用紙受け。
【発明の詳細な説明】
【技術分野】
【０００１】  本発明は、家庭用のインクジェットプリンターに関するものである。
【背景技術】
【０００２】  従来は、家庭用のインクジェットプリンターを使って文書などを印刷する場合、出力された紙の印刷面の上に順々に紙が出力されるので、複数ページ印刷した場合、ページが逆順になってしまっていた。
なお、業務用の大型プリンターにおいては、動力を要せずに表裏反転して内部に貯蔵するスタッカーが知られている（特許文献１参照）
【先行技術文献】
【特許文献】
【０００３】
【特許文献１】実用新案登録第３０９７３７４号公報
【発明の概要】
【発明が解決しようとする課題】
【０００４】従来より、次のような問題点があった。
（イ）  ページが逆順に並んだ印刷物を並べ直す場合、直す手間を要するばかりでなく、      ページ数が多い場合には、直し間違いを発生させる可能性もあった。
（ロ）  パソコン側の設定で、ページを逆順にして印刷するようにすれば、回避すること      は可能であるが、この方法では、自らが作成途中の文書を印刷する場合などで、す      ぐに文書の冒頭から内容を推敲などすることが出来なかった。
（ハ）特許文献１で知られている方法は、一般家庭で広く使われているインクジェットプ      リンターと組み合わせるには、大型でスペースを占有するものであった。
本発明は、以上の問題点を解決しようとするものである。
【課題を解決するための手段】
【０００５】  共通の短手幅で長手サイズを異にする矩形の３枚のプレートが相互の境界線において折り曲げ式に連続した形を成し、プリンターの排紙口の下に設置されて使用するものであって、
３枚のうち、外側の一方のプレートが、プリンターの下に敷き置かれる敷設板を成し、
他方のプレートが、当該プリンターが扱える最も大きな用紙長辺の３分の２程度の長手サイズであって、プリンターの排紙口から落下する用紙を受け止める用紙受け板を成し、
両者の中間にあって、両者を繋ぎ、且つ用紙を落下させる領域として、当該プリンターが扱える最も大きな用紙長辺よりも少し余裕をもった長さのプレートが中間壁板を成し、
敷設板と中間壁板の境界においては、３６０度回動可能であり、
中間壁板と用紙受け板の境界においては、中間壁板側から約４５度の角度で折り曲げ固定された、数センチ幅を有する用紙貯溜部が形成されており、用紙貯溜部と用紙受け部との境界は回動可能であるが、用紙受け部は中間壁板に対し約４５度を超えて開かなくしてあり、
この様な構成体を、多くの一般家庭にあると思われる、カラーボックス、机上の端、あるいは本棚などの上に設置し、その上にプリンターを設置することで、プリンターから出力された用紙が、印刷面が下になった状態で順々に貯溜されていくので、ページが逆順にならず、印刷物のページが正順になった状態で取り出すことが出来ることを特徴とするプリンター用紙受け。
【発明の効果】
【０００６】（イ）プリンターから出力された用紙が、印刷面が下になった状態で溜められ、以後のペ      ージも印刷面が下になった状態で、その上に順々に重なっていくので、正順を保つ      ことができ、従来のように逆順から正順に直す必要がなくなる。
（ロ）多くの一般家庭にあると思われる、カラーボックス、机、あるいは本棚などを利用      する前提のため、特許文献１で知られている方法に比べ、簡素な構造にすることが      出来、安価で多くの空間を占有せず、使わないときには薄く畳んでおくことができ      るので、一般家庭にも導入し易い。
（ハ）プリンターの排紙口の直下に印刷済み用紙が溜められるため、特許文献１で知られ      ている方法に比べ、文書作成中の利用者の動線が長くならず用紙を取り出し易い。
（ニ）一般家庭でインクジェットプリンターを使う場合、プリンターの排紙口の手前に紙      が平置きされるため、用紙の大きさ分のスペースを占有するが、本発明を使うこと      で、プリンターの排紙口のすぐ下に、紙が垂直に溜められるので、占有スペースを      くできる。
【図面の簡単な説明】
【０００７】
【図１】  本発明を広げたときの状態を示す斜視図
【図２】  本発明を畳んだときの状態を示す斜視図
【図３】  ［図１］に示された本発明において、用紙受け板支えを設けた状態を示す斜視図
【図４】  本発明をプリンターに設置した状態を示す実施例斜視図
【図５】  本発明をプリンターに設置して、１ページ目を印刷しているときの状態を示す斜視図
【図６】  本発明をプリンターに設置して、１ページ目の印刷が終わり、用紙受けに収まったときの状態を示す斜視図
【図７】  本発明をプリンターに設置して、２ページ目を印刷しているときの状態を示す斜視図。
【図８】  本発明を使わない場合に、プリンターから印刷物が出てくるときの状態を示す斜視図
【発明を実施するための形態】
【０００８】  以下、本発明の実施の形態を説明する。
（イ）３枚の板で構成されたプリンター用紙受けにおいて、敷設板（１）の短辺の先端に      、同じ幅の中間壁板（２）を取り付けてあり、敷設板（１）と中間壁板（２）は、      折り畳み式に連結されており、３６０度回動させることが出来る。（［図１］参照      ）
（ロ）印刷された用紙が収まるスペースを確保するために、中間壁板（２）の先端部は手      前に約４５度折り曲げられ、幅数センチの用紙貯溜部（３）を設けている。（［図      １］参照）。
（ハ）４５度程度折り曲げられた用紙貯溜部（３）の先端には、同じ幅の用紙受け板（４      ）が取り付けられており、用紙貯溜部（３）と用紙受け板（４）は連結されている      が、用紙受け板（４）は、中間壁板（２）に対して４５度以上は開かないようにし      ている。（［図１］参照）
（ニ）敷設板（１）と中間壁板（２）、及び用紙貯溜部（３）と用紙受け板（４）は、折      り畳み式に連結されているので、使わないときには畳んでおくことが出来る。（［      図２］参照）
（ホ）用紙貯溜部（３）と用紙受け板（４）の連結部は、用紙受け板（４）を広げたとき      に、用紙受け板（４）が中間壁板（２）に対して４５度以上広がらないような構造      である必要があるが、紐等で出来た用紙受け板支え（５）を両側に設ければ、厚紙      等の安価な部材を用いることも出来る。（［図３］参照）
（ヘ）敷設板（１）、中間壁板（２）、及び用紙受け板（４）の幅は同じであるが、安定      して設置するために、プリンターの全幅と同じくらいの幅にしてある。
（ト）用紙受け板（４）は、当該プリンターが扱える最大サイズ用紙長辺の３分の２程度      の長さを確保し、垂直方向から下方に４５度程度倒し前力に出すことで、写真印刷      用の用紙など厚手で腰のある用紙を用いた場合においても、プリンターから出力さ      れた用紙が用紙受け板（４）を乗り越えてしまうことを防ぐとともに、４５度傾け      てあれば、用紙受け板（４）に落ちてきた紙は、用紙受け板（４）上を滑り降り、      用紙貯溜部（３）で止まる。
（チ）中間壁板（２）は、印刷済みの用紙を本発明に収める目的で、当該プリンターが扱      える最大サイズ用紙長辺よりやや長い長さにする必要があるが、（ト）で述べた写      真印刷用の用紙など厚手で腰のある用紙において、印刷中の用紙と用紙受け板（４      ）との距離を確保し、用紙を下方に垂らす働きも有している。
（リ）敷設板（１）の長さは、用紙の大きさとは関係ないが、中間壁板（２）と同じくら      いの長さにするなどして重量を確保することで、本発明を設置する際にプリンター      を載せていない状態でも落ちないようにしている。
本発明は、以上の構成よりなっている。
本発明の使い方を説明する。
（イ）多くの一般家庭にあると思われる、カラーボックス、机上の端、あるいは本棚など      の上に、本発明を設置し、本発明の敷設板（１）の上にプリンターを設置する。（      ［図４］参照）。
（ロ）その際、プリンターの排紙口（７）が、敷設板（１）と中間壁板（２）の接続部分      と同じかやや手前になるように設置する。
（ハ）パソコン等を使って印刷を始めた場合、１ページ目の印刷面（９）は上を向いてお      り、紙の重みによって紙の先端部は下に垂れ下がっていくが、プリンターの排紙口      （７）付近では紙は水平方向に出ているので、出力中の用紙は中間壁板（２）には      張り付かない。
（ニ）プリンターから紙が排出され、下に落ちる時には、用紙受け板（４）に接触し、用      紙受け板（４）の傾きに誘導され下方に移動、用紙貯溜部（３）によって止まり、      用紙受け板（４）の上で１ページ目の裏面（１０）が上になった状態で溜められる      。（［図５］［図６］参照）
（ホ）２ページ目の印刷においても、２ページ目の印刷面（１１）は上を向いているが、      １ページ目と同様の動きをし、１ページ目の裏面（１０）の上に、裏面を上にした      状態で重なる。（［図７］参照）
（ヘ）３ページ目の印刷以降も同様の動きとなるので、正順を保つことができ、従来のよ      うに逆順から正順に直す必要がなくなる。
（ト）作成中の長い文書を印刷している場合においては、印刷の途中で用紙受け板（４）      から１ページ目から数ページを取り出しても、ページ順が揃っているのでそのまま      推敲作業を始めることが出来る。
（チ）使わないときには畳んでおくことが出来る（［図２］参照）
【符号の説明】
【０００９】１  敷設板
２  中間壁板
３  用紙貯溜部
４  用紙受け板
５  用紙受け板支え
６  プリンター
７  排紙口
８  カラーボックス
９  １ページ目の印刷面
１０  １ページ目の裏面
１１  ２ページ目の印刷面
【図１】
2019210146.tif 000003
【図２】
2019210146.tif 000004
【図３】
2019210146.tif 000005
【図４】
2019210146.tif 000006
【図５】
2019210146.tif 000007
【図６】
2019210146.tif 000008
【図７】
2019210146.tif 000009
【図８】
2019210146.tif 000010